(57)【要約】【課題】ユーザが所望するタグを付与させることが可能な技術を提供する。【解決手段】表示部（４８）および端末制御部（４４）を備える端末（４０）において、端末制御部は、表示部が表示する画像上に設定された１又は複数の領域のそれぞれに対してタグ情報の入力を受け付け、受け付けたタグ情報を対応する領域に関連付ける。【選択図】図１
2017220067.tif 000002
【特許請求の範囲】
【請求項１】
表示部および制御部を備える端末装置であって、
上記制御部は、
上記表示部が表示する画像上に設定された１又は複数の領域のそれぞれに対してタグ情報の入力を受け付け、
上記受け付けたタグ情報を対応する領域に関連付ける、
ことを特徴とする端末装置。
【請求項２】
上記制御部は、関連付けた上記タグ情報および上記領域を、コンテンツに関連付けてサーバに出力する、
ことを特徴とする請求項１に記載の端末装置。
【請求項３】
上記制御部は、上記領域に上記タグ情報が関連付けられているコンテンツをサーバに要求する、
ことを特徴とする請求項１または２に記載の端末装置。
【請求項４】
上記制御部は、上記表示部に表示される画像上に設定された１又は複数の領域の少なくとも何れかに対して、タグ情報の候補を複数表示する、
ことを特徴とする請求項１から３の何れか１項に記載の端末装置。
【請求項５】
上記制御部は、
上記領域に含まれる画像に関連する複数のタグ情報の入力を受け付け、
上記受け付けた複数のタグ情報および上記領域を関連付け、
上記領域に上記複数のタグ情報の少なくとも何れかが関連付けられているコンテンツをサーバに要求するか、または上記複数のタグ情報の全てが関連付けられているコンテンツをサーバに要求するかを切り替える、
ことを特徴とする請求項１に記載の端末装置。
【請求項６】
上記制御部は、上記タグ情報が何れの領域に関連付けられているのかを識別可能に表示する、
ことを特徴とする請求項１に記載の端末装置。
【請求項７】
上記制御部は、上記タグ情報を予め設定された領域内に表示する、
ことを特徴とする請求項１に記載の端末装置。
【請求項８】
表示部と、制御部と、を備える端末装置としてコンピュータを機能させるためのプログラムであって、上記制御部に、
上記表示部が表示する画像上に設定された１又は複数の領域のそれぞれに対してタグ情報の入力を受け付ける処理と、
上記受け付けたタグ情報を対応する領域に関連付ける処理と、
を実行させることを特徴とするプログラム。
【請求項９】
制御部を備えるサーバであって、
上記制御部は、
画像上に設定された領域にタグ情報が関連付けられているコンテンツを取得し、
取得したコンテンツに、上記画像上に設定された領域と、当該領域に関連付けられたタグ情報とを関連付けて管理する、
ことを特徴とするサーバ。
【請求項１０】
コンテンツを配信するサーバの関連付け方法であって、
上記コンテンツに関連する画像上の領域と、当該領域に含まれる画像に関連する情報であるタグ情報と、上記コンテンツとを関連付ける関連付けステップ、
を含むことを特徴とする関連付け方法。
【請求項１１】
制御部を備えるサーバであって、
上記制御部は、
コンテンツに、画像上に設定された領域と、当該領域に関連付けられたタグ情報と、を関連付けて管理し、
上記領域に上記タグ情報が関連付けられているコンテンツの要求を受け付けた場合、当該コンテンツを出力する、
ことを特徴とするサーバ。
【請求項１２】
コンテンツを配信するサーバの配信方法であって、
上記コンテンツに関連する画像上の領域と、当該領域に含まれる画像に関連する情報であるタグ情報と、上記コンテンツとを関連付けて管理する管理ステップと、
上記領域に上記タグ情報が関連付けられているコンテンツの要求を受け付けた場合、上記領域に上記タグ情報が関連付けられているコンテンツを配信する配信ステップと、
を含むことを特徴とする配信方法。
【請求項１３】
第１の端末装置と、第２の端末装置と、サーバと、を備えるコンテンツシステムであって、
上記第１の端末装置は、第１の端末制御部と、第１の端末通信部とを備え、
上記第１の端末制御部は、
表示する画像上に設定された１又は複数の領域のそれぞれに対してタグ情報の入力を受け付け、
上記受け付けたタグ情報を対応する領域に関連付け、
上記第１の端末通信部を介して、関連付けた上記タグ情報および上記領域を、コンテンツに関連付けて上記サーバに出力し、
上記第２の端末装置は、第２の端末制御部と、第２の端末通信部とを備え、
上記第２の端末制御部は、
表示する画像上に設定された１又は複数の領域のそれぞれに対してタグ情報の入力を受け付け、
上記受け付けたタグ情報を対応する領域に関連付け、
上記第２の端末通信部を介して、領域に上記タグ情報が関連付けられているコンテンツをサーバに要求し、
上記サーバは、サーバ制御部と、サーバ通信部とを備え、
上記サーバ制御部は、
コンテンツに、画像上に設定された領域と、当該領域に関連付けられたタグ情報と、を関連付けて管理し、
上記第１の端末装置から、上記サーバ通信部を介して、画像上に設定された領域、当該領域に関連付けられたタグ情報、およびコンテンツを取得した場合、取得した上記コンテンツに、取得したタグ情報と上記領域とを関連付け、
上記第２の端末装置から、上記サーバ通信部を介して、画像上に設定された領域にタグ情報が関連付けられているコンテンツの要求を受け付けた場合、当該コンテンツを出力する
ことを特徴とするコンテンツシステム。
【発明の詳細な説明】
【技術分野】
【０００１】
本発明は、端末装置、サーバ、プログラム、関連付け方法、配信方法、および、コンテンツシステムに関する。
【背景技術】
【０００２】
静止画や動画の共有サイトにおいて、ユーザは、投稿する画像にタグ（キーワード）を付けることができる。例えば、特許文献１には、タグを付与する対象画像が選択されると、当該対象画像のタグを追加するためのタグ追加ウィンドウを表示する画像検索装置が開示されている。当該画像検索装置は、対象画像に既に付与されているタグと同じタグを持つ多数の格納画像に付与されているタグのうち、対象画像に既に付与されているタグと異なるタグを、対象画像に付与される候補のタグとして表示する。
【先行技術文献】
【特許文献】
【０００３】
【特許文献１】特開２００８−２２６０６１号公報（２００８年９月２５日公開）
【発明の概要】
【発明が解決しようとする課題】
【０００４】
しかしながら、上述のような従来技術は、画像に対して初めに付与されたタグが適切ではない場合、ユーザが所望するタグの候補を表示することができないという問題がある。
【０００５】
本発明は、前記の問題点に鑑みてなされたものであり、その目的は、ユーザが所望するタグを付与させることが可能な技術を提供することにある。
【課題を解決するための手段】
【０００６】
上記の課題を解決するために、本発明の一態様に係る端末装置は、表示部および制御部を備える端末装置であって、上記制御部が、上記表示部が表示する画像上に設定された１又は複数の領域のそれぞれに対してタグ情報の入力を受け付け、上記受け付けたタグ情報を対応する領域に関連付ける。
【０００７】
上記の課題を解決するために、本発明の一態様に係るプログラムは、表示部と、制御部と、を備える端末装置としてコンピュータを機能させるためのプログラムであって、上記制御部に、上記表示部が表示する画像上に設定された１又は複数の領域のそれぞれに対してタグ情報の入力を受け付ける処理と、上記受け付けたタグ情報を対応する領域に関連付ける処理と、を実行させる。
【０００８】
上記の課題を解決するために、本発明の一態様に係るサーバは、制御部を備えるサーバであって、上記制御部が、画像上に設定された領域にタグ情報が関連付けられているコンテンツを取得し、取得したコンテンツに、上記画像上に設定された領域と、当該領域に関連付けられたタグ情報とを関連付けて管理する。
【０００９】
上記の課題を解決するために、本発明の一態様に係る関連付け方法は、コンテンツを配信するサーバの関連付け方法であって、上記コンテンツに関連する画像上の領域と、当該領域に含まれる画像に関連する情報であるタグ情報と、上記コンテンツとを関連付ける関連付けステップ、を含む。
【００１０】
上記の課題を解決するために、本発明の一態様に係るサーバは、制御部を備えるサーバであって、上記制御部が、コンテンツに、画像上に設定された領域と、当該領域に関連付けられたタグ情報と、を関連付けて管理し、上記領域に上記タグ情報が関連付けられているコンテンツの要求を受け付けた場合、当該コンテンツを出力する。
【００１１】
上記の課題を解決するために、本発明の一態様に係る配信方法は、コンテンツを配信するサーバの配信方法であって、上記コンテンツに関連する画像上の領域と、当該領域に含まれる画像に関連する情報であるタグ情報と、上記コンテンツとを関連付けて管理する管理ステップと、上記領域に上記タグ情報が関連付けられているコンテンツの要求を受け付けた場合、上記領域に上記タグ情報が関連付けられているコンテンツを配信する配信ステップと、を含む。
【００１２】
上記の課題を解決するために、本発明の一態様に係るコンテンツシステムは、第１の端末装置と、第２の端末装置と、サーバと、を備えるコンテンツシステムであって、上記第１の端末装置が、第１の端末制御部と、第１の端末通信部とを備え、上記第１の端末制御部が、表示する画像上に設定された１又は複数の領域のそれぞれに対してタグ情報の入力を受け付け、上記受け付けたタグ情報を対応する領域に関連付け、上記第１の端末通信部を介して、関連付けた上記タグ情報および上記領域を、コンテンツに関連付けて上記サーバに出力し、上記第２の端末装置が、第２の端末制御部と、第２の端末通信部とを備え、上記第２の端末制御部が、表示する画像上に設定された１又は複数の領域のそれぞれに対してタグ情報の入力を受け付け、上記受け付けたタグ情報を対応する領域に関連付け、上記第２の端末通信部を介して、領域に上記タグ情報が関連付けられているコンテンツをサーバに要求し、上記サーバが、サーバ制御部と、サーバ通信部とを備え、上記サーバ制御部が、コンテンツに、画像上に設定された領域と、当該領域に関連付けられたタグ情報と、を関連付けて管理し、上記第１の端末装置から、上記サーバ通信部を介して、画像上に設定された領域、当該領域に関連付けられたタグ情報、およびコンテンツを取得した場合、取得した上記コンテンツに、取得したタグ情報と上記領域とを関連付け、上記第２の端末装置から、上記サーバ通信部を介して、画像上に設定された領域にタグ情報が関連付けられているコンテンツの要求を受け付けた場合、当該コンテンツを出力する。
【発明の効果】
【００１３】
本発明の一態様によれば、ユーザが所望するタグを付与させることが可能となる。
【図面の簡単な説明】
【００１４】
【図１】本発明の実施形態１に係るコンテンツシステム１の要部構成を示すブロック図である。
【図２】本発明の実施形態１に係るコンテンツシステム１の処理を示すシーケンス図である。
【図３】本発明の実施形態１に係るタグ入力画面（入力前）の例を示す図である。
【図４】本発明の実施形態１に係るタグ入力画面（入力中）の例を示す図である。
【図５】本発明の実施形態１に係るタグ入力画面（入力後）の例を示す図である。
【図６】本発明の実施形態２に係るコンテンツシステム１の処理を示すシーケンス図である。
【図７】本発明の実施形態２に係るコンテンツ検索画面（入力前）の例を示す図である。
【図８】本発明の実施形態２に係るコンテンツ検索画面（入力後）の例を示す図である。
【図９】本発明の実施形態３に係るタグ入力画面（入力前）の例を示す図である。
【図１０】サーバまたは端末として利用可能なコンピュータの構成を例示したブロック図である。
【発明を実施するための形態】
【００１５】
〔実施形態１〕
以下、本発明の実施形態１について、詳細に説明する。
【００１６】
（コンテンツシステム１）
図１は、本実施形態に係るコンテンツシステム１の要部構成を示すブロック図である。コンテンツシステム１は、図１に示すように、サーバ１０、および、端末（端末装置、第１の端末装置、第２の端末装置）４０を備えている。コンテンツシステム１では、サーバ１０、および、端末４０は、ネットワーク２を介して通信可能に接続されている。
【００１７】
コンテンツシステム１において、サーバ１０は、端末４０からコンテンツに対するタグ付け要求を受け付け、当該要求に応じてタグ情報をコンテンツに関連付ける。
【００１８】
（サーバ１０）
サーバ１０は、図１に示すように、サーバ通信部１２、サーバ制御部（制御部）１４、およびコンテンツ記憶部１６を備えている。サーバ１０は、コンテンツ記憶部１６に格納されているコンテンツおよびタグ情報を管理するサーバである。コンテンツの例として、ユーザによって投稿された静止画や動画を挙げることができるが、これに限定されない。タグ情報とは、コンテンツに関連した情報であり、例えば、コンテンツに含まれる商品の商品名、当該商品の情報、コンテンツに含まれる画像に関する関連情報、コンテンツの制作者（ユーザ）に関する関連情報である。コンテンツの制作者に関する関連情報として、例えば、制作者のニックネーム、職業（学生、会社員等）、年代（１０代、２０代等）、メッセージ（挨拶、コメント歓迎等）などが挙げられる。本明細書では、タグ情報はコンテンツに関連する画像上に設定された１又は複数の領域のそれぞれに含まれる画像に関連する。また、コンテンツに関連する画像の例として、当該コンテンツを象徴する画像を挙げることができ、例えば、コンテンツがメイク動画の場合、当該コンテンツに関連する画像として、顔の画像が挙げられる。
【００１９】
サーバ通信部１２は、外部の装置とネットワーク２を介して通信するための通信インターフェースである。
【００２０】
サーバ制御部１４は、サーバ１０の各構成要素を統括的に制御する機能を備えている演算装置である。サーバ制御部１４の詳細については、後述する。
【００２１】
コンテンツ記憶部１６には、コンテンツ、および、タグ情報が関連付けて格納されている。
【００２２】
（サーバ制御部１４）
サーバ制御部１４は、タグ情報付与部（制御部）２０、および、コンテンツ検索部（制御部）２２を備えている。タグ情報付与部２０は、画像上に設定された領域にタグ情報が関連付けられているコンテンツを取得し、取得したコンテンツに、画像上に設定された領域と、当該領域に関連付けられたタグ情報とを関連付けて管理する。コンテンツ検索部２２は、領域にタグ情報が関連付けられているコンテンツの要求を受け付けた場合、当該コンテンツを出力する。
【００２３】
（端末４０）
端末４０は、図１に示すように、端末通信部（第１の端末通信部、第２の端末通信部）４２、端末制御部（制御部、第１の端末制御部、第２の端末制御部）４４、カメラ４６、表示部４８、および、操作受付部５０を備えている。端末４０は、コンテンツおよびタグ情報を表示する端末であり、サーバ１０にタグ付け要求およびコンテンツ要求を行う。
【００２４】
端末通信部４２は、外部の装置とネットワーク２を介して通信するための通信インターフェースである。
【００２５】
端末制御部４４は、端末４０の各構成要素を統括的に制御する機能を備えている演算装置である。
【００２６】
カメラ４６は、画像を撮影し、その画像を供給する。
【００２７】
表示部４８は、画像を表示することができるディスプレイデバイスである。
【００２８】
操作受付部５０は、ユーザの操作を受け付け、受け付けた操作を示す操作信号を出力する。
【００２９】
（端末制御部４４）
端末制御部４４は、図１に示すように、タグ付与要求部５２、コンテンツ生成部５４、コンテンツ要求部５６、タグ情報管理部５８、表示制御部６０、およびタグ情報取得部６２を備えている。
【００３０】
タグ付与要求部５２は、コンテンツへのタグ付与を要求する。
【００３１】
コンテンツ生成部５４は、カメラ４６から供給された画像を取得し、当該画像からコンテンツを生成する。
【００３２】
コンテンツ要求部５６、条件を満たすコンテンツを要求する。
【００３３】
タグ情報管理部５８、コンテンツと、タグ情報とを関連付ける。
【００３４】
表示制御部６０は、表示部４８に画像を表示させる。
【００３５】
タグ情報取得部６２は、操作受付部５０からタグ情報を取得する。
【００３６】
（コンテンツシステム１の処理）
図２は、本実施形態に係るコンテンツシステム１の処理を示すシーケンス図である。
【００３７】
まず、端末４０は、タグを付与するための画面の表示要求を受け付ける（Ｓ１）。詳細には、操作受付部５０は、コンテンツにタグを付与する旨の操作を受け付け、受け付けた操作を示す操作信号をタグ情報管理部５８に出力する。
【００３８】
次に、端末４０は、タグを付与するための画面を表示する（Ｓ２）。詳細には、タグ情報管理部５８は、上記の操作信号を取得し、コンテンツ生成部５４および表示制御部６０を介して、コンテンツに関連した画像を表示部４８に表示させる。例えば、端末４０は、コンテンツがメイク中の動画であれば、顔の画像を表示する。
【００３９】
図３は、本実施形態に係るタグ入力画面（入力前）の例を示す図である。表示画像Ｇ１は、端末４０の表示部４８にタグ入力画面として表示される画像である。図３に示すように、表示画像Ｇ１には、顔画像Ｇ１１、および、登録ボタンＢ１が含まれている。顔画像Ｇ１１は、タグ付与の対象画像である。登録ボタンＢ１は、表示画像Ｇ１に表示されているタグ情報をサーバ１０に登録する旨の操作を受け付けるボタンである。
【００４０】
続いて、端末４０は、ユーザに選択された領域を受け付ける（Ｓ３）。詳細には、ユーザが図３に示す頬の領域Ｐ１をタップした場合、操作受付部５０は、ユーザが頬の領域Ｐ１をタップした操作を受け付け、受け付けた操作を示す操作信号をタグ情報管理部５８に出力する。
【００４１】
端末４０のタグ情報管理部５８は、表示部４８に表示される画像上に設定された１又は複数の領域の少なくとも何れかに対して、タグ情報の候補を複数表示する（Ｓ４）。詳細には、タグ情報管理部５８は、例えば、頬の領域Ｐ１に対応付けられたタグ情報の候補を取得し、表示制御部６０を介して表示部４８に表示させる。
【００４２】
図４は、本実施形態に係るタグ入力画面（入力中）の例を示す図である。図４の表示画像Ｇ２は、端末４０の表示部４８にタグ入力画面として表示される画像である。図４の表示画像Ｇ２は、図３の表示画像Ｇ１と比較すると、頬の領域Ｐ１が着色されており、さらに、頬の領域Ｐ１から吹き出しＦ１が表示されている。吹き出しＦ１には、タグ情報の候補として、チークＫ１、パウダーチークＫ２、およびうずまきＫ３が含まれている。すなわち、頬の領域Ｐ１には、タグ情報の候補として、チーク、パウダーチーク、うずまき等が対応付けられている。また、吹き出しＦ１には、タグ情報を手入力する旨の操作を受け付ける手入力ボタンＢ２が含まれている。
【００４３】
なお、顔画像Ｇ１１における各領域には、以下に示すタグ情報の候補が対応付けられていてもよい。例えば、眉の領域には、眉マスカラ、太眉等が対応付けられていてもよい。また、まつげの領域には、つけまつげ、まつげカール等が対応付けられていてもよい。また、目の領域には、二重、一重、アイライン等が対応付けられていてもよい。また、唇の領域には、ふんわりリップ等が対応付けられていてもよい。また、顔全体の領域には、小顔、非対称メイク等が対応付けられていてもよい。また、背景の領域には、ゆるふわ、デート等が対応付けられていてもよい。
【００４４】
続いて、端末４０は、表示部４８が表示する画像上に設定された１又は複数の領域のそれぞれに対してタグ情報の入力を受け付ける（Ｓ５）。詳細には、ユーザが、図４に示す吹き出しＦ１のうち、パウダーチークＫ２をチェックした場合、操作受付部５０は、パウダーチークＫ２をチェックした操作を受け付け、受け付けた操作を示す操作信号をタグ情報取得部６２に出力する。
【００４５】
続いて、端末４０は、Ｓ５で受け付けたタグ情報を対応する領域に関連付ける（Ｓ６）。詳細には、タグ情報取得部６２は、操作受付部５０から操作信号を取得し、操作信号が示す操作内容（パウダーチークＫ２をチェック）をタグ情報管理部５８に出力する。タグ情報管理部５８は、タグ情報取得部６２から操作内容を取得し、操作内容に含まれるタグ情報を、Ｓ３で受け付けた頬の領域Ｐ１に関連付ける。
【００４６】
図５は、本実施形態に係るタグ入力画面（入力後）の例を示す図である。図５（ａ）に示すように、端末４０は、タグ入力画面としての表示画像Ｇ３において、タグ情報が何れの領域に関連付けられているのかを識別可能に表示してもよい。詳細には、端末４０は、頬の領域に関連付けられたタグ情報であるパウダーチークＴ１を頬の近傍に表示し、唇の領域に関連付けられたタグ情報であるぷるぷるリップＴ２を唇の近傍に表示し、まつげの領域に関連付けられたタグ情報であるつけまつげＴ３をまつげの近傍に表示してもよい。
【００４７】
一方、図５（ｂ）に示すように、端末４０は、タグ入力画面としての表示画像Ｇ４において、タグ情報を予め設定された領域内に表示してもよい。詳細には、端末４０は、タグ情報であるパウダーチークＴ１、ぷるぷるリップＴ２、および、つけまつげＴ３を、顔画像Ｇ１１の下方の領域に表示してもよい。
【００４８】
続いて、端末４０は、タグ付けの要求を受け付ける（Ｓ７）。詳細には、ユーザが、図５（ａ）、（ｂ）に示す登録ボタンＢ１を押下した場合、操作受付部５０は、登録ボタンＢ１を押下した操作を受け付け、受け付けた操作を示す操作信号をタグ情報管理部５８に出力する。
【００４９】
端末４０は、Ｓ６で関連付けたタグ情報および領域を、コンテンツに関連付けてサーバ１０に出力する（Ｓ８）。詳細には、タグ情報管理部５８は、操作受付部５０から操作信号を取得し、操作信号が示す操作内容に従って、タグ情報および領域をタグ付与要求部５２に出力する。コンテンツ生成部５４は、生成したコンテンツをタグ付与要求部５２に出力する。タグ付与要求部５２は、タグ情報管理部５８から取得したタグ情報および領域を、コンテンツ生成部５４から取得したコンテンツに関連付けて、端末通信部４２を介してサーバ１０に出力する。
【００５０】
サーバ１０は、端末４０からタグ付けの要求を受け付ける（Ｓ９）。詳細には、タグ情報付与部２０は、端末４０から画像上の領域にタグ情報が関連付けられたコンテンツを取得する。
【００５１】
そして、サーバ１０のタグ情報付与部２０は、コンテンツに関連する画像上の領域と、当該領域に含まれる画像に関連する情報であるタグ情報と、コンテンツとを関連付ける（Ｓ１０）。そして、サーバ１０のタグ情報付与部２０は、領域と、タグ情報と、コンテンツとを関連付けた状態で、コンテンツ記憶部１６に記憶させる。なお、サーバ１０は、タグ情報をコンテンツに関連付けて、コンテンツ記憶部１６に記憶させてもよい。
【００５２】
上述の説明では、ユーザがメイク画像を象徴する顔の画像にタグ情報を付けて、サーバ１０に保存する。なお、ユーザは、予め顔の画像をサーバ１０に保存した後で、別途タグ情報を保存してもよい。
【００５３】
また、タグ情報は、領域や部品名と組み合わせてもよい。例えば、唇の領域に関連付けられるタグ情報には、「lip：」が接頭辞として付与されてもよい。頬の領域に関連付けられるタグ情報には、「cheek：」が接頭辞として付与されてもよい。これにより、同じ「赤」であっても、「lip：赤」と、「cheek：赤」とを識別することができる。この場合、サーバ１０は、タグ情報をコンテンツに関連付けることにより、コンテンツに関連する画像上の何れの領域に関連付けられたタグ情報であるのかを管理することができる。
【００５４】
このように、本実施形態におけるコンテンツシステム１では、端末４０は、表示部４８が表示する画像上に設定された１又は複数の領域のそれぞれに対してタグ情報の入力を受け付け、受け付けたタグ情報を対応する領域に関連付ける。そのため、端末４０は、画像上の領域に関連したタグ情報をユーザに入力されることができるので、ユーザが所望するタグを付与させることが可能となる。
【００５５】
また、本実施形態におけるコンテンツシステム１では、端末４０は、関連付けたタグ情報および領域を、コンテンツに関連付けてサーバ１０に出力する。そのため、端末４０は、サーバ１０に対して、タグ情報、および、領域を、コンテンツに関連付けて管理させることができる。
【００５６】
また、本実施形態におけるコンテンツシステム１では、端末４０は、表示部４８に表示される画像上に設定された１又は複数の領域の少なくとも何れかに対して、タグ情報の候補を複数表示する。そのため、端末４０は、ユーザにタグ情報を手入力させることなく、タグ情報を取得することができるので、ユーザの利便性を向上させることができる。
【００５７】
また、本実施形態におけるコンテンツシステム１では、端末４０は、タグ情報が何れの領域に関連付けられているのかを識別可能に表示する。そのため、端末４０は、タグ情報と、領域との関連付けを明確に表示することができる。
【００５８】
また、本実施形態におけるコンテンツシステム１では、端末４０は、タグ情報を予め設定された領域内に表示する。そのため、端末４０は、画像に合わせてタグ情報を表示することができる。
【００５９】
また、本実施形態におけるコンテンツシステム１では、サーバ１０は、画像上に設定された領域にタグ情報が関連付けられているコンテンツを取得し、取得したコンテンツに、画像上に設定された領域と、当該領域に関連付けられたタグ情報とを関連付けて管理する。そのため、サーバ１０は、画像の領域、および、タグ情報を、コンテンツに関連付けた状態にすることができる。
【００６０】
〔実施形態２〕
本発明の実施形態２について、図６〜図８に基づいて説明すれば、以下のとおりである。なお、説明の便宜上、前記実施形態にて説明した部材と同じ機能を有する部材については、同じ符号を付記し、その説明を省略する。
【００６１】
実施形態１では、コンテンツにタグ情報を付与する処理を説明したが、本実施形態では、コンテンツをタグ情報により検索する処理を説明する。
【００６２】
図６は、本実施形態に係るコンテンツシステム１の処理を示すシーケンス図である。
【００６３】
まず、端末４０は、コンテンツを検索する画面の表示要求を受け付ける（Ｓ２１）。詳細には、操作受付部５０は、コンテンツを検索する画面を表示する旨の操作を受け付け、受け付けた操作を示す操作信号をタグ情報管理部５８に出力する。
【００６４】
次に、端末４０は、コンテンツを検索する画面を表示する（Ｓ２２）。詳細には、タグ情報管理部５８は、上記操作信号を取得し、表示制御部６０を介して、コンテンツ検索画面を表示部４８に表示させる。
【００６５】
図７は、本実施形態に係るコンテンツ検索画面（入力前）の例を示す図である。図７の表示画像Ｇ５は、端末４０の表示部４８にコンテンツ検索画面として表示される画像である。図７に示すように、表示画像Ｇ５には、顔画像Ｇ１１、検索ボタンＢ３、およびチェックボックスＣ１が含まれている。顔画像Ｇ１１は、コンテンツ検索の対象画像である。検索ボタンＢ３は、タグ情報をキーワードとしてサーバ１０のコンテンツを検索するためのボタンである。チェックボックスＣ１は、複数のタグ情報をキーワードとした場合に、ａｎｄ検索か、ｏｒ検索かを指定するためのチェックボックスである。
【００６６】
続いて、端末４０は、ユーザにタップされた領域を受け付ける（Ｓ３）。詳細には、ユーザが、所望のタグ情報を検索キーワードとして指定するために、図７に示す顔画像Ｇ１１のうち、領域をタップした場合、操作受付部５０は、ユーザが領域をタップした操作を受け付け、受け付けた操作を示す操作信号をタグ情報管理部５８に出力する。
【００６７】
端末４０の端末制御部４４は、表示部４８に表示される画像上に設定された１又は複数の領域の少なくとも何れかに対して、タグ情報の候補を複数表示する（Ｓ４）。詳細には、タグ情報管理部５８は、例えば、頬の領域Ｐ１に対応付けられたタグ情報の候補を取得し、図４に示すように、表示制御部６０を介して表示部４８に表示させる。
【００６８】
続いて、端末４０は、表示部４８に表示される、領域に含まれる画像に関連する複数のタグ情報の入力を受け付ける（Ｓ５）。詳細には、ユーザが、図４に示す吹き出しＦ１のうち、パウダーチークＫ２をチェックした場合、操作受付部５０は、パウダーチークＫ２をチェックした操作を受け付け、受け付けた操作を示す操作信号をタグ情報取得部６２に出力する。続いて、端末４０は、Ｓ５で受け付けた複数のタグ情報および領域を関連付ける（Ｓ６）。
【００６９】
図８は、本実施形態に係るコンテンツ検索画面（入力後）の例を示す図。図８に示すように、端末４０は、コンテンツ検索画面としての表示画像Ｇ６において、タグ情報が何れの領域に関連付けられているのかを識別可能に表示する。詳細には、端末４０は、タグ情報として、パウダーチークＴ１を頬の領域に表示し、ぷるぷるリップＴ２を唇の領域に表示し、つけまつげＴ３をまつげの領域に表示する。
【００７０】
続いて、端末４０は、コンテンツの検索要求を受け付ける（Ｓ２７）。詳細には、ユーザが、図８に示すチェックボックスＣ１のａｎｄを選択し、検索ボタンＢ３を押下した場合、操作受付部５０は、ａｎｄを選択し、検索ボタンＢ３を押下した操作を受け付け、受け付けた操作を示す操作信号をタグ情報管理部５８に出力する。
【００７１】
端末４０は、領域に複数のタグ情報の少なくとも何れかが関連付けられているコンテンツをサーバ１０に要求するか、または複数のタグ情報の全てが関連付けられているコンテンツをサーバ１０に要求するかを切り替えたうえで、サーバ１０にコンテンツを要求する（Ｓ２８）。詳細には、タグ情報管理部５８は、操作受付部５０から操作信号を取得し、操作信号が示す操作内容に従って、画像の領域に関連付けられたタグ情報、およびａｎｄ検索かｏｒ検索かを示す識別情報をコンテンツ要求部５６に出力する。コンテンツ要求部５６は、タグ情報管理部５８から取得した、画像の領域に関連付けられたタグ情報が付与されたコンテンツであって識別情報が示す検索方法によって検索されたコンテンツを、端末通信部４２を介してサーバ１０に要求する。
【００７２】
サーバ１０は、端末４０からコンテンツの要求を受け付ける（Ｓ２９）。そして、サーバ１０のコンテンツ検索部２２は、コンテンツ上の領域ごとに対応付けられたタグ情報を付与されたコンテンツであって、コンテンツ記憶部１６のコンテンツを識別情報が示すａｎｄ検索かｏｒ検索かに応じて検索する（Ｓ３０）。
【００７３】
また、サーバ１０は、コンテンツを検索することによって、端末４０から受け付けた要求に応じたコンテンツがコンテンツ記憶部１６に格納されている場合、当該コンテンツを配信する構成であってもよい。換言すると、サーバ１０は、ある領域にタグ情報が関連付けられているコンテンツの要求を受け付けた場合、当該領域に当該タグ情報が関連付けられているコンテンツを配信する構成であってもよい。
【００７４】
なお、本実施形態におけるコンテンツシステム１では、タグ情報に接頭辞が含まれている（例えば、「lip：赤」の形式である）場合には、検索キーワードとしては、領域ごとのタグ情報ではなく、単なるタグ情報（lip and 赤）が指定される構成であってもよい。
【００７５】
このように、本実施形態におけるコンテンツシステム１では、端末４０は、領域にタグ情報が関連付けられているコンテンツをサーバ１０に要求する。そのため、端末４０は、領域に関連付けられたタグ情報を付与されたコンテンツを取得することができる。
【００７６】
また、本実施形態におけるコンテンツシステム１では、端末４０は、領域に含まれる画像に関連する複数のタグ情報の入力を受け付け、受け付けた複数のタグ情報および領域を関連付け、領域に複数のタグ情報の少なくとも何れかが関連付けられているコンテンツをサーバ１０に要求するか、または複数のタグ情報の全てが関連付けられているコンテンツをサーバ１０に要求するかを切り替える。そのため、端末４０は、サーバ１０に対するコンテンツの要求方法を切り替えることができる。
【００７７】
また、本実施形態におけるコンテンツシステム１では、サーバ１０は、コンテンツに、画像上に設定された領域と、当該領域に関連付けられたタグ情報と、を関連付けて管理し、領域にタグ情報が関連付けられているコンテンツの要求を受け付けた場合、当該コンテンツを出力する。そのため、サーバ１０は、領域に関連付けられたタグ情報に応じたコンテンツを提供することができる。
【００７８】
〔実施形態３〕
本発明の実施形態３について、図９に基づいて説明すれば、以下のとおりである。なお、説明の便宜上、前記実施形態にて説明した部材と同じ機能を有する部材については、同じ符号を付記し、その説明を省略する。
【００７９】
実施形態１、２では、コンテンツに関連した画像として顔画像Ｇ１１を使用する例を説明したが、本実施形態では、他のコンテンツを使用する例を説明する。
【００８０】
図９は、本実施形態に係るタグ入力画面（入力前）の例を示す図である。表示画像Ｇ７、Ｇ８は、端末４０の表示部４８にタグ入力画面として表示される画像である。図９（ａ）に示すように、表示画像Ｇ７には、シャツ画像Ｇ１２、および、登録ボタンＢ１が含まれている。シャツ画像Ｇ１２は、タグ付与の対象画像である。
【００８１】
シャツ画像Ｇ１２における各領域には、タグ情報の候補が対応付けられている。例えば、袖の領域Ｐ２には、長袖、半袖等が対応付けられている。また、首の領域Ｐ３には、Ｕネック、Ｖネック、丸首等が対応付けられている。中央の領域Ｐ４には、プリント等が対応付けられている。全体の領域Ｐ５には、ニット、綿１００％、ブランド等が対応付けられている。
【００８２】
図９（ｂ）に示すように、表示画像Ｇ８には、お盆画像Ｇ１３、および、登録ボタンＢ１が含まれている。お盆画像Ｇ１３は、タグ付与の対象画像である。
【００８３】
お盆画像Ｇ１３における各領域には、タグ情報の候補が対応付けられている。例えば、主菜皿の領域Ｐ６には、ハンバーグ、鯖味噌等が対応付けられている。ご飯茶碗の領域Ｐ７には、白米、玄米等が対応付けられている。汁物椀の領域Ｐ８には、赤だし、コーンスープ等が対応付けられている。小鉢の領域Ｐ９には、たくあん、プリン等が対応付けられている。お盆の領域Ｐ１０には、洋食、和食、お祝い等が対応付けられている。
【００８４】
上記によれば、コンテンツシステム１では、顔、シャツ、お盆等のような画像において、当該画像の各領域にタグ情報の候補を対応付ける。そして、ユーザが領域を選択することにより、端末４０は、当該領域に対応付けられたタグ情報の候補を表示する。この構成によれば、様々なコンテンツに対してタグ情報を付与させることができる。
【００８５】
〔実施形態４〕
サーバ１０および端末４０の制御ブロック（特にサーバ制御部１４および端末制御部４４）は、集積回路（ＩＣチップ）等に形成された論理回路（ハードウェア）によって実現してもよいし、ＣＰＵ（Central Processing Unit）を用いてソフトウェアによって実現してもよい。
【００８６】
後者の場合、サーバ１０および端末４０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８７】
〔実施形態５〕
上記各実施形態では、１つのサーバ１０を用いる例を説明したが、サーバ１０の有する各機能が、個別のサーバにて実現されていてもよい。そして、複数のサーバを適用する場合においては、各サーバは、同じ事業者によって管理されていてもよいし、異なる事業者によって管理されていてもよい。
【００８８】
〔実施形態６〕
サーバ１０および端末４０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、サーバ１０および端末４０のそれぞれを、図１０に示すようなコンピュータ（電子計算機）を用いて構成することができる。
【００８９】
図１０は、サーバ１０または端末４０として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００９０】
補助記憶装置９１４には、コンピュータ９１０をサーバ１０または端末４０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、サーバ１０または端末４０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【００９１】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９３】
１  コンテンツシステム
１０  サーバ
１２  サーバ通信部
１４  サーバ制御部（制御部）
４０  端末（端末装置、第１の端末装置、第２の端末装置）
４２  端末通信部（第１の端末通信部、第２の端末通信部）
４４  端末制御部（制御部、第１の端末制御部、第２の端末制御部）
４８  表示部
【図１】
2017220067.tif 000003
【図２】
2017220067.tif 000004
【図３】
2017220067.tif 000005
【図４】
2017220067.tif 000006
【図５】
2017220067.tif 000007
【図６】
2017220067.tif 000008
【図７】
2017220067.tif 000009
【図８】
2017220067.tif 000010
【図９】
2017220067.tif 000011
【図１０】
2017220067.tif 000012